(57)【要約】      （修正有）【課題】果実の病害虫の被害を防止して、農薬の使用量を格段に抑えながら、果実の収穫における良好な作業効率を維持することができる新規の果実袋を提供する。【解決手段】透明ないし半透明素材からなる上部筒状体２１と、透明素材からなる袋体であって、前記上部筒状体に取り付けられる内袋３１と、日光を通さない不透明素材からなる袋体であって、前記内袋が収納されるとともに、前記上部筒状体の下部に取り付けられる外袋４１と、からなり、前記外袋を取り外すことにより、前記内袋内に果実が残存した状態で、前記内袋が果実への太陽光の照射を阻害することなく果実に着色を促すとともに、果実が内袋に完全に覆われるようにすることで病害虫の被害を防ぐことができるようにしたことを特徴とする果実袋１１。【選択図】図８
0003235513.tif 000002
【実用新案登録請求の範囲】
【請求項１】
透明ないし半透明素材からなる上部筒状体と、
透明素材からなる袋体であって、前記上部筒状体に取り付けられる内袋と、
日光を通さない不透明素材から袋体であって、前記内袋が収納されるとともに、前記上部筒状体の下部に取り付けられる外袋と、
からなり、
前記外袋を取り外すことにより、前記内袋内に果実が残存した状態で、前記内袋が果実への太陽光の照射を阻害することなく果実に着色を促すとともに、果実が内袋に完全に覆われるようにすることで病害虫の被害を防ぐことができるようにしたことを特徴とする果実袋。
【請求項２】
前記内袋が、内袋本体の適所にミシン目を備えており、
前記ミシン目に沿って前記内袋を容易に引き裂いて容易に果実を収穫することができるようにしたことを特徴とする請求項１に記載の果実袋。
【請求項３】
前記内袋が通気性を備えていることを特徴とする請求項１または２に記載の果実袋。
【請求項４】
前記内袋が、内袋本体の下部の適所に水抜き穴を備えており、
前記上部筒状体の上部開口部より前記内袋の内部に雨水その他の水が侵入し、または結露等により内袋の内部に水が生じた場合に、前記水抜き穴から水抜きができるようにしたことを特徴とする請求項１ないし３のいずれかに記載の果実袋。
【考案の詳細な説明】
【技術分野】
【０００１】
本考案は、果実の収穫までの期間における病害虫の被害を防止し、農薬の使用量を低減させる新規の果実袋に関するものである。
【背景技術】
【０００２】
従来、桃等の果実には、果実を侵す病害虫を防除し、これらによる被害を防止するとともに、商品価値の高い着色を施して優美に仕上げることを目的として、ある程度実が大きくなった時点で果実袋が掛けられている。この果実袋としては、二重袋が主流であり、中でも透光性を有する内袋と遮光性を有する外袋とに分けられた二重果実袋が多く利用されている。
そして、果実の生育期間の大半を遮光性を有する外袋で覆うことで果実の葉緑素生成を抑制するとともに、収穫間近の時期には前記外袋のみを剥ぎ取って、透光性を有する内袋で覆った状態のまま太陽の日差しを受けて果実に着色を促していた。
【０００３】
例えば、特開２００１−００８５６１号公報（特許文献１参照）には、果実に掛ける二重袋として、筒状で半透明性の内袋と、有底で遮光性のある外袋を備え、前記内袋はその横方向の長さを外袋に対して略同じか、又は実質上大きく形成したものを略同じ長さに折り畳み、この内袋と外袋を一部分で重ね合わせ、前記外袋より露出している内袋の開口上縁部から果樹の枝を挿入するための切り欠け部を設け、前記内袋と外袋の重ね合わせ部の一部を固着した二重果実袋が提案されている。
【先行技術文献】
【特許文献】
【０００４】
【特許文献１】特開２００１−００８５６１号公報
【考案の概要】
【考案が解決しようとする課題】
【０００５】
前記特開２００１−００８５６１号公報に記載の発明は、内袋と外袋からなる構造をなし、このような構造の果実袋は現在も多く使用されているものではあるが、内袋は単体で果実の全体を完全に覆うものではないこと、果実への着色を促すために外袋を取り外すと、果実の下部またはほぼ全域が露出した状態となることから、その露出した部分からの病害虫の被害を十分に防ぐことはできていなかった。また、昨今、農薬を使用することのリスクを低減させるため、農薬の使用量を削減する減農薬や無農薬による特別栽培が求められているところ、果実への病害虫の被害に対しては、依然として農薬の散布を行うことで対処しており、このような要請に応えきれていないところでもある。また、内袋を果実のほぼ全域を覆う形状とした場合には、透光性を有する内袋であっても、わずかに日光を遮ってしまうことで着色ムラ等の着色不良の原因となっていた。
【０００６】
そこで、本考案に係る果実袋は、果実の全体を完全に覆うことができる透明な内袋を設けることで、内袋が果実への日光の照射を阻害することなく、果実が日差しを受けて十分に着色が促されるとともに、果実の全体を完全に覆った内袋が病害虫からの被害を防ぎ、したがって農薬の使用量を格段に抑えることができるとともに、果実の収穫期には内袋のミシン目に沿って内袋を引き裂くことで容易に果実を収穫できるようにした新規の果実袋を提供しようとするものである。
【課題を解決するための手段】
【０００７】
そこで上述の課題を解決するため、本考案に係る果実袋は、透明ないし半透明素材からなる上部筒状体と、透明素材からなる袋体であって、前記上部筒状体に取り付けられる内袋と、日光を通さない不透明素材からなる袋体であって、前記内袋が収納されるとともに、前記上部筒状体の下部に取り付けられる外袋と、からなり、前記外袋を取り外すことにより、前記内袋内に果実が残存した状態で、前記内袋が果実への太陽光の照射を阻害することなく果実に着色を促すとともに、果実が内袋に完全に覆われるようにすることで病害虫の被害を防ぐことができるようにしたことを特徴とするものである。
【０００８】
本考案に係る果実袋において、前記内袋が、内袋本体の適所にミシン目を備えており、前記ミシン目に沿って前記内袋を引き裂いて容易に果実を収穫することができるようにしたことをも特徴とするものである。
【０００９】
本考案に係る果実袋において、前記内袋が通気性を備えていることをも特徴とするものである。
【００１０】
本考案に係る果実袋において、前記内袋が、内袋本体の下部の適所に水抜き穴を備えており、前記上部筒状体の上部開口部より雨水その他の水分が侵入し、または結露等により内袋の内部に水が生じた場合に、前記水抜き穴から水抜きができるようにしたことをも特徴とするものである。
【考案の効果】
【００１１】
本考案に係る果実袋によれば、次の作用効果を奏することができる。
（１）果実を上部筒状体から果実袋内に挿し入れると、自動的に果実が内袋内に収納されるようにしてあるので、果実が物理的に保護され、害虫類（主にカメムシ類、吸ガ類）の被害を大幅に抑えることができるとともに、病害・鳥獣害をも抑えることができる。
（２）外袋を下に引き下げて上部筒状体から引きはがすと、透明素材からなる内袋に収納された果実は日差しを受けて着色が促されるが、内袋は透明素材からなるものであって、果実への日光の照射を阻害することなく、果実は日差しを受けて十分に着色を促すことができる。
（３）果実の全体が内袋に完全に収納されているので、病害虫の被害を十分に防ぐことができる。
（４）果実を内袋に収納することで病害虫の被害を防ぐことができるので、農薬の散布機会・散布量を減らすことができ、農薬の使用量を低減させることができる。
（５）内袋はミシン目を備えており、果実の収穫期にはミシン目に沿って内袋を引き裂くことで、容易に果実を収穫することができる。
【図面の簡単な説明】
【００１２】
【図１】本考案の果実袋の第１実施例における上部筒状体を示し、（ａ）はその概略斜視図、（ｂ）はその概略透視斜視図である。
【図２】本考案の果実袋の第１実施例における内袋の概略斜視図である。
【図３】本考案の果実袋の第１実施例における外袋の概略斜視図である。
【図４】本考案の果実袋の第１実施例における果実袋の組付け方法を示し、上部筒状体に内袋を取り付けようとする状態の概略斜視図である。
【図５】上部筒状体に内袋を取り付ける途中の状態の概略斜視図である。
【図６】上部筒状体に内袋を取り付けた状態の概略斜視図である。
【図７】上部筒状体に外袋を取り付けようとする状態の概略斜視図である。
【図８】上部筒状体に外袋を取り付けて本考案の果実袋の組付けが完了した状態の概略斜視図である。
【図９】果実への袋掛けの時期になり、本考案の果実袋を果実に掛けようとする状態の概略図である。
【図１０】本考案の果実袋を果実に掛けた状態の概略図である。
【図１１】果実袋の除袋の時期になり、上部筒状体から外袋を引きはがす前の状態の概略図である。
【図１２】果実袋の除袋の時期になり、上部筒状体から外袋を引きはがした状態の概略図である。
【図１３】果実の収穫の時期になり、内袋をミシン目に沿って引き裂こうとする状態の概略図である。
【考案を実施するための形態】
【００１３】
以下、本考案に係る果実袋の実施の形態について、図面を用いて詳述する。
図１ないし図８は、本考案の果実袋の第１実施例を示すものである。
図において、本考案の果実袋１１は、透明ないし半透明素材からなる上部筒状体２１と、透明素材からなる袋体であって、前記上部筒状体２１に取り付けられる内袋３１と、日光を通さない不透明素材から袋体であって、前記内袋３１が収納されるとともに、前記上部筒状体２１の下部に取り付けられる外袋４１と、からなるものである。
【００１４】
まず、本考案の果実袋１１の前記上部筒状体２１は、図１に示すように、上部開口部２２と下部開口部２３を備えた筒状体であり、前記上部開口部２２の端縁には一対のＶ字状の切り欠き部２２ａが形成され、前記上部開口部２２の適所には針金２２ｂが取り付けられている。
前記上部開口部２２に前記Ｖ字状の切り欠き部２２ａを形成することにより、果実を前記上部開口部２２から前記上部筒状体２１内に挿し入れる際の作業がしやすくなるとともに、前記一対のＶ字状の切り欠き部２２ａの両側端部を果実の上部で前記上部開口部２２の前記針金２２ｂを用いて結束して固定することができるようにしてある。
なお、前記一対のＶ字状の切り欠き部２２ａは、その要旨を変更しない範囲であれば前記Ｖ字状の形状に限定されるものではない。
【００１５】
本考案の果実袋１１の内袋３１は、図２に示すように、透明素材からなる袋体であって、前記内袋３１の上部には開放部３１ａが形成され、前記内袋３１の下部には閉止部３１ｂが形成されるとともに、前記内袋３１の下部の前記閉止部３１ｂが形成されていない箇所には水抜き穴３１ｄが形成されるようにしてある。加えて、前記内袋３１は、その袋体の全域または適所に、複数の小孔（図示せず）を形成すること、もしくは、メッシュ素材（図示せず）を用いることで、通気性を備えている。
このようにすることで、果実が前記内袋３１に完全に収納された状態にあっても、内袋３１内を適温適湿に保つことができ、高温障害等を防止し、果実の生育を妨げないようにしてある。併せて、前記内袋３１の下部には前記水抜き穴３１ｄが形成されているので、荒天時など前記上部筒状体２１の上部開口部２２より雨水その他の水分が侵入し、または結露等により内袋３１の内部に水が生じた場合には、前記水抜き穴３１ｄから水抜きを行うことができるようにしてある。
なお、前記内袋３１の透明素材としては、ポリプロピレンフィルムを好適に用いることができるが、同様の効果を奏する素材であればこれに限定されるものではない。
【００１６】
また、前記内袋３１は、前記開放部３１ａの近傍の外側に接着部３２を設け、前記接着部３２を前記上部筒状体２１内の所定の位置に接着させることで、前記内袋３１を前記上部筒状体２１に取り付けることができるようにしてある。
さらに、前記内袋３１の下部の中間位置から上方にミシン目３１ｃを形成してあり、前記ミシン目３１ｃに沿って前記内袋３１を容易に引き裂くことができるようにしてある。
このようにすることで、果実の収穫に際しては、前記内袋３１を前記上部筒状体２１から引きはがすだけで容易に果実を収穫することができる他、前記ミシン目３１ｃに沿って前記内袋３１を引き裂くようにすれば、前記上部筒状体２１から前記内袋を引きはがさなくても容易に果実を収穫することができ、作業方法や、果実袋の廃棄等の事情に応じて、適宜作業者が収穫に際して内袋の処理を選択することもできる。
【００１７】
本考案の果実袋１１の外袋４１は、図３に示すように、不透明素材からなる袋体であって、前記外袋４１の上部には開放部４１ａが形成され、前記外袋４１の下部には閉止部４１ｂが形成されている。
また、前記外袋４１の開放部４１ａの端縁の適所には、ミシン目４１ｃに囲まれ、前記外袋４１の内壁側に接着部４２ａを備えた切り離し部４２が形成されている。
【００１８】
図４ないし図８は、本考案の果実袋１１の第１実施例における、本考案の果実袋１１を構成する各部材の組付け手順を示すものである。
まず、前記上部筒状体２１に前記内袋３１を取り付ける際には、図４ないし図６に示すように、前記上部筒状体２１内に前記内袋３１を挿し入れ、前記内袋３１の外側に設けた接着部３２を前記上部筒状体２１の内壁に接着させることで、前記内袋３１を前記上部筒状体２１内に取り付けるようにしてある。
このようにすることで、果実を前記上部筒状体２１の上部開口部２２から前記上部筒状体２１内へ挿し入れると、果実は自動的に前記内袋３１内へも挿し入れられることになっている。
【００１９】
そして、前記上部筒状体２１に前記外袋４１を取り付ける際には、図７ないし図８に示すように、前記外袋４１の開放部４１ａの端縁に形成された前記切り離し部４２の前記接着部４２ａを、前記上部筒状体２１の外壁に接着させて取り付ける。このようにすることで、前記上部筒状体２１に取り付けられた前記外袋４１を下方に引き下げた際には、前記外袋４１に設けた前記ミシン目４１ｃから前記切り離し部４２が切り離されて、前記外袋４１を前記上部筒状体２１から容易に引きはがすことができるのである。
【００２０】
図９ないし図１３は、果実の袋掛けから収穫までの、本考案の果実袋１１の適用例を示すものである。
まず、桃等の果実がある程度大きくなった段階で、図９ないし図１０に示すように、果実を病害虫から保護するとともに、日光を遮蔽して葉緑素の生成を抑制するため、前記果実を本考案の果実袋１１の前記上部筒状体２１の前記上部開口部２２から前記上部筒状体２１内へ挿し入れ、前記上部筒状体２１の前記上部開口部２２の一対のＶ字状の切り欠き部２２ａの両側端部を前記針金２２ｂを用いて前記果実の上部に結束するようにして、本考案の果実袋１１を果実に掛ける。
このようにすることで、果実は前記内袋３１内に完全に収納されて、果実が収穫されるまでの期間、病害虫の被害を防ぐことができるようになる。
【００２１】
そして、図１１に示すように果実がさらに大きくなって、果実に着色を促す時期が到来すると、図１２に示すように、前記外袋４１を下方に引いて、前記上部筒状体２１から引きはがす。このとき、前記外袋４１は、前記上部筒状体２１と前記切り離し部４２の前記接着部４２ａのみで接着されており、わずかな力で前記上部筒状体２１から引きはがすことができ、農作業における作業者の負担がほとんどない。
さらに、前記外袋４１が引きはがされた本考案の果実袋１１は、前記上部筒状体２１の下部から果実が前記内袋３１に完全に収納された状態で露出する。ここで、前記内袋３１は透明素材からなることで、果実への日光の照射を阻害することなく、果実は十分に太陽の日差しを受けて着色が促される。この段階にあっても、果実は依然として前記内袋３１内に完全に収納されているので、病害虫の被害を防ぐことができるようになっている。
したがって、本考案の果実袋１１の果実への袋掛けから、前記外袋４１を除袋して果実に太陽の日差しによる着色を促すに至る過程においても、病害虫の被害を防止するための農薬の散布回数を減らし、あるいは、農薬を散布する必要がない。
【００２２】
そして、果実が十分に実り、全体に色づきよく着色がされて収穫期が到来すると、前記内袋３１を下方に引き下げて、前記上部筒状体２１から引きはがす方法（図示せず）のほか、図１３に示すように、前記内袋３１の前記閉止部３１ｂの両側をつまんで、前記内袋３１の下部の中間位置から上方に向けて形成された前記ミシン目３１ｃに沿って、前記内袋３１を引き裂くことで、容易に果実を収穫することもできるのである。
なお、本実施例においては、前記ミシン目３１ｃを前記内袋３１の下部の中間位置から上方に向けて縦に形成させたものであるが、前記内袋３１に収納する果実や、収穫作業の方法、収穫のしやすさ等に応じて、前記内袋３１の適所に任意の向きでミシン目を形成してもよいことはいうまでもない。
【００２３】
本考案の果実袋１１は、以上のように構成したので、果実を前記内袋３１に完全に収納して、病害虫の被害を防ぐことにより、農薬の散布回数を減らすとともに、収穫期には前記内袋３１に形成した前記ミシン目３１ｃに沿って前記内袋３１を引き裂けば容易に果実を収納することができ、現在、多く利用され散る二重袋と遜色のない使用感を維持しながら、病害虫の被害防止と減農薬という二つの大きな効果を発揮することができるのである。
【産業上の利用可能性】
【００２４】
本考案の果実袋については、上述のとおり、桃等の果実に適用する例を挙げて説明したものであるが、果実のみならず野菜その他の農作物に適用することができることはいうまでもない。
【符号の説明】
【００２５】
１１  果実袋
２１  上部筒状体
２２  上部開口部
２２ａ  Ｖ字状の切り欠き部
２２ｂ  針金
２３  下部開口部
３１  内袋
３１ａ  開放部
３１ｂ  閉止部
３１ｃ  ミシン目
３１ｄ  水抜き穴
３２  接着部
４１  外袋
４１ａ  開放部
４１ｂ  閉止部
４１ｃ  ミシン目
４２  切り離し部
４２ａ  接着部
【図１】
0003235513.tif 000003
【図２】
0003235513.tif 000004
【図３】
0003235513.tif 000005
【図４】
0003235513.tif 000006
【図５】
0003235513.tif 000007
【図６】
0003235513.tif 000008
【図７】
0003235513.tif 000009
【図８】
0003235513.tif 000010
【図９】
0003235513.tif 000011
【図１０】
0003235513.tif 000012
【図１１】
0003235513.tif 000013
【図１２】
0003235513.tif 000014
【図１３】
0003235513.tif 000015